Podtech/llm-jp-corpus-v4-ja_patent huggingface dataset:
(57)【要約】【課題】  手首部分の保温性を有し、且つ手首の締め付け具合を調節でき、扱いやすい上衣の袖口の提供。【解決手段】  袖口廻りを内側と外側とで２分し、片半分を本体生地と同等で他の片半分はジャージ生地となし、上記生地の境目位置の１つに締付用帯片を取付けると共に、他の境目位置の本体生地側に上記締付用帯片を係止させる手段を取付ける。この際、係止手段は面ファスナーの雌・雄となしたり、本体生地が外側で、ジャージ生地は内側となるように取付けたりする。【選択図】      図１
0003118205.tif 000002
【実用新案登録請求の範囲】
【請求項１】
袖口廻りを内側と外側とで２分し、片半分を本体生地と同等で他の片半分はジャージ生地となし、上記生地の境目位置の１つに締付用帯片を取付けると共に、他の境目位置の本体生地側に上記締付用帯片係止させる手段を取付けるものとなしたことを特徴とする上衣の袖口。
【請求項２】
係止手段は面ファスナーの雌・雄であることを特徴とする請求項１記載の上衣の袖口。
【請求項３】
本体生地が外側で、ジャージ生地は内側となるように取付けたことを特徴とする請求項１又は２記載の上衣の袖口。
【考案の詳細な説明】
【技術分野】
【０００１】
本考案は、防寒着等の上衣の袖口に関する。
【背景技術】
【０００２】
従来から、防寒着等の上衣の袖口には、袖口から風が入り込まないようにするために工夫が成されている。例えば、袖口を手首に密着させるために伸縮性のあるジャージを使用したものがある。また、図５に示す如く、袖９の先端を折り曲げて、即ち、袖９の生地と同じ生地で袖口１０が構成され、該袖口１０の中にゴムを通して伸縮性を持たせ、更に締付用帯片１１が縫いつけられ、面ファスナー１２及び１３の係止により、手首の締め付け具合を調節できるようにしたものもある。
しかし、ジャージ生地は次第に伸びてきて、伸縮性がなくなり、図５に示すものの様に袖と同じ生地で袖口を構成したものでは、手首部分の保温性に欠けるものとなっている。
【０００３】
そこで、特許文献１には袖口に表裏両面がジャージで形成されその両ジャージがダブルラッセル編みで結合された生地を使用した筒状のカフス部が取付けられ、カフス部には締付帯片の基端部が縫い付けられ、そして、対を成す面ファスナーにて手首の締め付け具合を調節できるようになしたものが示されている。
【特許文献１】特開平９−１１１５１６
【考案の開示】
【考案が解決しようとする課題】
【０００４】
しかし、袖口全体にジャージ生地を使用して、面ファスナーを取付けた場合には、面ファスナーがジャージ生地に当たり、ジャージ生地が毛玉になりやすく、摩擦により擦り切れてしまうという問題がある。
【０００５】
そこで、本考案は係る問題点を解決すべく、手首部分の保温性を有し、且つ手首の締め付け具合を調節でき、扱いやすい上衣の袖口の提供を目的とするものである。
【課題を解決するための手段】
【０００６】
本考案に係る上衣の袖口は、袖口廻りを内側と外側とで２分し、片半分を本体生地と同等で他の片半分はジャージ生地となし、上記生地の境目位置の１つに締付用帯片を取付けると共に、他の境目位置の本体生地側に上記締付用帯片を係止させる手段を取付けるものとなしたことを特徴とする。この際、係止手段は面ファスナーの雌・雄となしたり、本体生地が外側で、ジャージ生地は内側となるように取付けたりする。
【考案の効果】
【０００７】
本考案によれば袖口廻りを内側と外側とで２分し、片半分を本体生地と同等で他の片半分はジャージ生地となし、上記生地の境目位置の１つに締付用帯片を取付けると共に、他の境目位置の本体生地側に上記締付用帯片係止させる手段を取付けるものとなしたことにより、ジャージ生地の部分は手首に密着し保温効果を有し、ジャージ生地は次第に伸びて伸縮性を失うが、係止手段により手首の締め付け具合を調節できるものとなる。そして、本体生地側において、締付用帯片により係止するため、毛玉や擦り切れを防止できるものとなる。また、係止手段を面ファスナーの雌・雄としたことにより、迅速に係止でき、使いやすいものとなる。
【０００８】
本体生地が外側で、ジャージ生地は内側となるように取付けたことにより、手首の内側に当たる部分が特に保温効果を有するとともに、本体生地が手首の外側になるため、ジャージ生地が毛玉になったり、擦り切れたりしても目立たないものとなる。さらに、上記構成は片側から見ればジャージ生地であって、もう片方から見れば本体生地と同じであるため、見方によって違う印象を与えるという意匠的効果を呈するもので付加価値の向上にも寄与するものである。
【考案を実施するための最良の形態】
【０００９】
以下、図面に示す実施の形態について説明する。
図１は本考案に係る上衣の袖口の斜視図で、図２は図１の背面側の斜視図で、図３は図２において締付用帯片を開いた状態の斜視図である。
【００１０】
本考案に係る上衣の袖口１は長袖２の先端であって、手首に当たる部分に取付けられる袖口廻りである。その袖口廻りにおいて、手首の内側に当たる部分と手首の外側に当たる部分とで２分するのである。その２分した片半分を上衣本体を構成している生地と同等の生地である本体生地３を使用し、他の片半分は伸縮性のあるジャージ生地４を使用するのである。
【００１１】
本体生地３とジャージ生地４の境目位置の１つに締付用帯片５の基端部が縫いつけられている。そして、該締付用帯片５の本体生地３側に対向する面５ａ及び他の境目位置の本体生地３側上に面ファスナーの対をなす雄部６及び雌部７が設けられてあり、手首の締め付け具合を調節できるようになしてある。なお、図示例では、面ファスナーによる係止手段が示されているが、ボタン及びボタンホール、スナップボタンの雌・雄などの係止手段を使用しても良い。
【００１２】
図４は本考案に係る上衣の袖口１を使用した防寒着８の正面側から見た説明図である。図示例では、ジャージ生地４が前側即ち手首の内側になるように構成したものであるが、反対にジャージ生地４が手首の外側になるように構成しても良い。
【図面の簡単な説明】
【００１３】
【図１】本考案に係る上衣の袖口の斜視図である。
【図２】図１の背面側の斜視図である。
【図３】図２において締付用帯片を開いた状態の斜視図である。
【図４】本考案に係る上衣の袖口を使用した防寒着の正面側から見た説明図である。
【図５】従来の袖口の説明図である。
【符号の説明】
【００１４】
１    袖口
２    袖
３    本体生地
４    ジャージ生地
５    締付用帯片
６    面ファスナー雄部
７    面ファスナー雌部
８    防寒着
９    袖
１０  袖口
１１  締付用帯片
１２  面ファスナー雄部
１３  面ファスナー雌部  
【図１】
0003118205.tif 000003
【図２】
0003118205.tif 000004
【図３】
0003118205.tif 000005
【図４】
0003118205.tif 000006
【図５】
0003118205.tif 000007
(57)【要約】 【課題】    煮物をする時にでる、灰汁を中央に集めて除去する手間を少なくしたものである。【解決手段】  板１の中央に孔２を設け、下面に孔を頂点として円錐状に加工をして、それに沿って多数本のリブ３を放射状に設ける。【選択図】  図１  
0003118211.tif 000002
【実用新案登録請求の範囲】
【請求項１】
平板状で、しかも中央に灰汁が集中する孔を設け、且つ中央孔が頂部となる様に平板の下面を円錐状に形成した蓋本体と、この蓋本体の下面に中央孔から放射状に形成された多数本のリブとで成したことを特徴とした煮物用落し蓋。
【考案の詳細な説明】
【技術分野】
【０００１】
本考案は煮物用落し蓋に関するものである。
【背景技術】
【０００２】
煮物をする時、あくができ、この、灰汁の除去の適否によって料理の出来具合に大きく影響する。又、この灰汁を除去する場合、大変に手間がかかる。
【考案の開示】
【考案が解決しようとする課題】
【０００３】
灰汁を，容易に除去しようとしたものである。  
【課題を解決するための手段】
【０００４】
平板の中央に灰汁を集中させる孔を設け、かつ中央孔が頂部となる様に、蓋本体の下面を円錐状に形成し、この下面中央孔から放射状に、多数本のリブを形成することによって、灰汁をそのその中央孔に集中させて容易に除去できる煮物用落し蓋。
【考案の効果】
【０００５】
煮物をしたときに出る、灰汁がリブに沿って中央に集まるので、灰汁の除去が容易となる。
【実施例】
【０００６】
以下、図面に従って実施例を説明する。図１に示す用に、平板状に形成された蓋本体１は、中央に孔２を設けている。更に、この孔２が頂部となる様蓋本体下面が、円錐状に形成されている。さらに、それに沿って多数本のリブ３を、放射状に設ける。
【図面の簡単な説明】
【０００７】
【図１】本考案の煮物用落し蓋の正面図
【図２】同上のＡ−Ａ線の断面図
【図３】同上の下方から見た斜視図
【符号の説明】
【０００８】
１  板本体        
２  中央孔        
３  リブ          
【図１】
0003118211.tif 000003
【図２】
0003118211.tif 000004
【図３】
0003118211.tif 000005
(57)【要約】【課題】筒状体が肛門内の所定位置に挿入されるとともに、抜け止めされて安定的に位置決めされ、しかも、筒状体の肛門内への挿入時には、プランジャーが容易に摺動できず、所定位置に筒状体を挿入後、プランジャーのみが滑らかに摺動して座薬を肛門内に挿入できる座薬挿入器を提供すること。【解決手段】筒状体とプランジャーとから成り、筒状体の先端部外周に挿入位置決め突部を配設して成る座薬挿入器において、筒状体（シリンダー１）は、前期挿入位置決め突部より前方にその先端から滑らかに連続するテーパ面２を形成した抜け止め突部３が周設され、プランジャー５は、その長手方向中間部に前記シリンダー１に嵌入する膨径部８が配設され、該膨径部８の前後の棒状体６の外周とシリンダー１の内周間に変形空間９が形成される。【選択図】図１
0003118230.tif 000002
【実用新案登録請求の範囲】
【請求項１】
筒状体にプランジャーが下端の押し部を介して摺動自在に挿入され、該筒状体の先端部から所要寸法後退した外周に挿入位置決め突部が周設されて成り、筒状体の先端部に座薬が保持されて使用される座薬挿入器において
筒状体は、前記挿入位置決め突部より前方にその先端から滑らかに連続するテーパ面を形成した抜け止め突部が周設されて成り、
プランジャーは、その長手方向中間部に前記筒状体に嵌入する膨径部が配設され、該膨径部の前後の棒状体の外周と筒状体の内周間に変形空間が形成されて成る座薬挿入器。
【考案の詳細な説明】
【技術分野】
【０００１】
本考案は、座薬を肛門内の所定位置に安定的に挿入できる座薬挿入器に関する。
【背景技術】
【０００２】
プランジャーで筒状体の先端に保持した座薬を肛門に挿入する技術は、特開平５−２６１１５８号公報（特許文献１）、特開平５−２６１１５９号公報（特許文献２）、特開２０００−１５７６３８号公報（特許文献３）が提案されている。特許文献１、２に開示された技術は座薬挿入時の筒状体の肛門挿入位置決め端を設けるのみで抜け止め手段がないため、プランジャー押し出し時に筒状体の位置決め端がずれ易いことと、筒状体の内周全長に渡りプランジャーの外周を案内することでプランジャーの動きが挿入時の指の挟持状態によって不必要に滑り難くなること、また、特許文献３に開示された技術は、注入器本体の筒体の先端に肛門当部を設けたもので座薬を肛門内部まで安定的に挿入できないことなどの欠点を内在していた。
【特許文献１】特開平５−２６１１５８号公報
【特許文献２】特開平５−２６１１５９号公報
【特許文献３】特開２０００−１５７６３８号公報
【考案の開示】
【考案が解決しようとする課題】
【０００３】
本考案は、筒状体が肛門内の所定位置に挿入されるとともに、抜け止めされて安定的に位置決めされ、しかも、筒状体の肛門内への挿入時には、プランジャーが容易に摺動できず、所定位置に挿入後、プランジャーのみが滑らかに摺動して座薬を挿入できる座薬挿入器を提供する。
【課題を解決するための手段】
【０００４】
本考案の座薬挿入器は、筒状体にプランジャーが下端の押し部を介して摺動自在に挿入され、該筒状体の先端部から所要寸法後退した外周に挿入位置決め突部が周設されて成り、筒状体の先端部に座薬が保持されて使用される座薬挿入器において、
筒状体は、前記挿入位置決め突部より前方にその先端から滑らかに連続するテーパ面を形成した抜け止め突部が周設されて成り、
プランジャーは、その長手方向中間部に前記筒状体に嵌入する膨径部が配設され、該膨径部の前後の棒状体の外周と筒状体の内周間に変形空間が形成されて成る。
【考案の効果】
【０００５】
本考案の座薬挿入器によれば、プランジャーは筒状体挿入時に変形空間の変形によって摺動が阻止されるから、座薬は筒状体の挿入位置決め突部が肛門に当接するまで押し出されることがなく、常に一定深さの肛門内に挿入され、しかも、筒状体は抜け止め突部によって挿入状態が保持されるから、座薬は不十分な位置で肛門外に融出されることなく、その効能が安定的に確保される効果がある。
【考案を実施するための最良の形態】
【０００６】
筒状体の先端からテーパ面を形成する抜け止め突部は、その先端が滑らかに該テーパ面に連続する形状が肛門内挿入に最良であり、また、プランジャーに配設される膨径部は一体構造のものから、着脱自在に嵌着又は螺着されるものなどである。
【実施例】
【０００７】
本考案の座薬挿入器Ａを実施例により説明すると、筒状体であるシリンダー１はその先端を丸めて後方へ末広がり状のテーパ面２が形成され、その後端にシリンダー１の外周より僅かに突出する抜け止め突部３が配設され、その後方所要位置（先端から略23mm）には同様にシリンダー１の外周より所要に突出する挿入位置決め突部４が配設されて成る。
また、シリンダー１に挿入されるプランジャー５はシリンダー１の内径より僅かに小径の棒状体６の後端にＴ字状に押し部としての押し棒７を一体に成形し、棒状体６の長手方向中間部にその外径をシリンダー１の内径に摺動自在に内嵌する膨径部８を所要長さ分形成して成る。
シリンダー１にプランジャー５を膨径部８において摺動自在に嵌入したとき、プランジャー５の棒状体６の外径とシリンダー１の内径間に変形空間９が形成される。
【０００８】
このようにして成る座薬挿入器Ａは、シリンダー１の先端部の内径に座薬１０が保持され、図２に示すように、プランジャー５の膨径部８より先方のシリンダー１の外周が指で挟持されるから変形空間９の変形によってプランジャー５の動きが阻止され、挿入位置決め突部４が図２の仮想線で示すように、肛門１１に当接されるまで挿入され、当接状態で変形空間９の変形が解放され、プランジャー５が押し棒７によって押し込まれると座薬１０は肛門内の所定位置に挿入される。
前記したようにシリンダー１の挿入位置決め突部４が肛門１１に当接された状態で抜け止め突部３は肛門内に係着されるから、常に肛門内の所定位置に座薬１０が挿入され、不十分な位置で座薬１０を肛門外に融出させることなく、座薬１０の効能が安定的に確保される。
【産業上の利用可能性】
【０００９】
本考案の座薬挿入器は、病院などの医療現場では元より個人的にも簡便に且つ安定的に座薬の効能を確保できるから、大いにその需要が期待できる。
【図面の簡単な説明】
【００１０】
【図１】本考案の座薬挿入器Ａの分離状態の斜視図。
【図２】座薬挿入器Ａの使用状態の説明図。
【符号の説明】
【００１１】
１：シリンダー
２：テーパ面
３：抜け止め突部
４：挿入位置決め突部
５：プランジャー
６：棒状体
７：押し棒
８：膨径部
９：変形空間
１０：座薬
１１：肛門
Ａ：座薬挿入器
【図１】
0003118230.tif 000003
【図２】
0003118230.tif 000004
(57)【要約】      （修正有）【課題】散歩時の安全性や快適性、ならびに健康面にも考慮した、ペット及び人間の散歩用万能ベルトを提供する。【解決手段】ベルト本体１に左右２箇所に可動式３６０度回転式フック３a,３ｂを着用。これによりペットからのベルトをからむことなく、しかも複数のペットも固定でき、安全性に富む。さらに、ペット及び人間の散歩用万能ベルトは腹部に巻くことにより、両手が自由に使え必要に応じて、両手の応援力も使用でき、さらに安全性を確保することができる。また、ペットボトル収納ケース４，ミニショベル収納ケース５、携帯電話収納ケース６及び小物バッグケース７を、このベルトに装着することにより常に両手が自由に使えることも安全性の確保につながる。同時に装着された万歩計２により、散歩する人間の健康面へのサポートを可能にする。【選択図】図１
0003118299.tif 000002
【実用新案登録請求の範囲】
【請求項１】
人間の腹部に巻くベルトに、多目的用途に対応する各パーツを装着し、ペットとの散歩時や人間の散歩時に、安全性、利便性、快適性を追求した、ペット及び人間の散歩用万能ベルト。各パーツとは、万歩計、ペットからの首輪ベルトを固定する、からまない３６０度回転の左右２箇所にあるフック、必要小物を入れられる小物バッグと携帯電話収納ケース。
さらに、ペットボトルケース、ペットの糞尿などの処理用のミニショベルなどが収納できるケースが、必要に応じて着脱式で装着できるようにセットされている。
【考案の詳細な説明】
【技術分野】
【０００１】本考案は人間の腹部に巻くベルトに、ペットや人間の散歩に必要な用品パーツを自由にセットできる多機能万能ベルトに関するものである。
【背景技術】
【０００２】従来はペットの首などに巻いたペット用ベルトを片手にもち、その他の必要品をもう片方の手にもっていた。
【考案の開示】
【考案が解決しようとする課題】
【０００３】ペットの散歩時は、ペットの首などにつながれたベルトを人間の手だけのつながりで散歩している。それではペットの行動を制限すること等が、両手がふさがっているため安全性に限界がある。
また、複数のペットとの散歩時や、重量あるペットでは危険度が高くなる。
そこで、快適でしかも安全にペットと人間が散歩できる用品が必要となる。
【課題を解決するための手段】
【０００４】本考案は、ベルト自体に左右２箇所に可動式３６０度回転式フックを着用。これによりペットからのベルトをからむことなく、しかも複数のペットも固定でき、安全性に富む。
さらに、ペット及び人間の散歩用万能ベルトは腹部に巻くことにより、両手が自由に使え必要に応じて、両手の応援力も使用でき、さらに安全性を確保することができる。
また、従来個別に手で持っていたペット散歩時の携帯必需品を、このベルトに装着することにより常に両手が自由に使えることも安全性の確保につながる。
同時に装着された万歩計により、散歩する人間の健康面へのサポートを可能にする。
【考案の効果】
【０００５】上述の様に、本考案のペット及び人間の散歩用万能ベルトは、（１）両手を散歩中に自由に使用できる。（２）（１）より散歩中の危険から身を守る安全性が極めて高い。（３）腹巻ベルト方式のため複数のペットにも安全に対応できる。（４）必要に応じた着脱式用品セットを利用することで快適に散歩を楽しめる。（５）万歩計により散歩する人間の健康管理の一助にもなる。などの、効果を有す。
【考案の実施するための最良の形態】
【０００６】考案のペット及び人間の散歩用万能ベルトは、固定着用と着脱式の用品により構成されている。ペットと人間の散歩時、または人間だけの散歩時にも使用できる。必要に応じた用品をセットすることにより、より快適で安全に散歩をする。
【実施例】
【０００７】以下、添付図面に従って説明する。（１）は考案の主たる部分であるベルトである。（２）は万歩計で散歩時の歩数などの計測を行う。ペットとの散歩でない場合の使用もできる。（３）ａ、（３）ｂは３６０度回転の可動式フレキシブル金具である。これにより、複数のペットの散歩でもぺットからのベルトが、からむことがなくなる。（４）は飲み物の容器などを収納できるポケット付。（５）は、ペットの散歩中に、ペットの糞尿処理用のミニショベルを収納できるポケット付。（６）は、携帯電話のポケット収納ケース。（７）は必要品を入れる小物バックケース。
（６）、（７）は着脱式とする。
【図面の簡単な説明】
【０００８】
【図１】本考案品のペット及び人間の散歩用万能ベルトの実施例を示す俯瞰図
【図２】ペットからのベルトを散歩時固定する、３６０度回転フレキシブル金具詳細図
【符号の説明】
【０００９】（１）ベルト本体
（２）万歩計
（３）ａ、（３）ｂ、３６０度回転可動式フレキシブル金具
（４）ペットボトル収納ケース
（５）ミニショベル収納ケース
（６）携帯電話収納ケース
（７）小物バッグケース
【図１】
0003118299.tif 000003
【図２】
0003118299.tif 000004
【手続補正書】
【提出日】平成17年7月1日(2005.7.1)
【手続補正１】
【補正対象書類名】実用新案登録請求の範囲
【補正対象項目名】全文
【補正方法】変更
【補正の内容】
【実用新案登録請求の範囲】
【請求項１】
人間の腹部に巻くベルトに多目的用途に対応する各パーツを装着し、ペットとの散歩時や人間の散歩時に、安全性、利便性、快適性を追求した、ペット及び人間の散歩用万能ベルト。
【手続補正書】
【提出日】平成17年10月12日(2005.10.12)
【手続補正１】
【補正対象書類名】実用新案登録請求の範囲
【補正対象項目名】全文
【補正方法】変更
【補正の内容】
【実用新案登録請求の範囲】
【請求項１】
犬等のペットの散歩時に、人間の腹部に巻くベルトに、万歩計、ペットボトル収納ケース、糞の処理道具収納ケース、散歩時に必要な携帯品を入れる小物バッグと、ペットから接続されているリード線を固定するフック金具が左右各１個づつ装着されていることにより、単数はもとより、複数のペットの散歩時や人間の散歩時に、両手が塞がれることなく自由となり、雨の日の散歩でも、手荷物を持っての散歩でも両手が自由に使え、糞の処理も容易にでき、しかも装着された万歩計で人間の健康管理も出来る、ペット及び人間の散歩用ベルトの考案。
(57)【要約】      （修正有）【課題】家庭用家電製品、通信用機器、消費者向け電子製品、コンピュータ周辺機器などのケーシングに幅広く使用できる織布において様々な製品のケーシングとして使用できる熱可塑性を有する織布を提供する。【解決手段】熱可塑性を有する織布は、芯１０鞘１１複合糸からなる織布と、一般の糸からなる織布とから構成され、芯１０鞘１１複合糸からなる織布は、熱可塑性を有する織布の底層１３を構成し、一般の糸からなる織布は、熱可塑性を有する織布の表層１２を構成される。これによって、金属やプラスチックに取って代わり、家庭用電化製品等のケーシングに幅広く使用でき、見た目の美しさや質感を高めることができる。【選択図】図２
0003118297.tif 000002
【実用新案登録請求の範囲】
【請求項１】
芯鞘複合糸からなる織布と、一般の糸からなる織布とによって構成される熱可塑性を有する織布であって、前記芯鞘複合糸からなる織布は、前記熱可塑性を有する織布の底層を構成し、前記一般の糸からなる織布は、前記熱可塑性を有する織布の表層を構成していることを特徴とする熱可塑性を有する織布。
【考案の詳細な説明】
【技術分野】
【０００１】
本考案は熱可塑性を有する織布に関し、特に一般の糸からなる織布によって構成された質感と触感に優れた表層と、熱可塑性を有する底層とによって構成され、金属やプラスチックに取って代わり、家庭用電化製品、通信用機器、消費者向け電子製品、コンピュータ周辺機器などのケーシングに幅広く使用できる織布に関する。
【背景技術】
【０００２】
織布などの紡績品によって衣類が製造されており、その色彩、模様、図案は金属やプラスチック材料では代用できないものである。現在、家庭用電化製品、通信用機器、消費者向け電子製品、コンピュータ周辺機器などのケーシングは金属やプラスチックからなり、仮に織布が前述の金属やプラスチックなどに取って代われるなら、その用途は衣類や寝具などに限られず非常に大きなものとなる。
【特許文献１】実開平５−５８２７５号公報
【考案の開示】
【考案が解決しようとする課題】
【０００３】
本考案の主な目的は、金属やプラスチックに取って代わり、家庭用電化製品、通信用機器、消費者向け電子製品、コンピュータ周辺機器などのケーシングに幅広く使用でき、見た目の美しさや質感を高めることができる熱可塑性を有する織布を提供することにある。
本考案の次の目的は、ケーシングを有する製品に使用でき、金属やプラスチック材料に取って代わることができ、製造業者にさらに多くの選択を提供できる熱可塑性を有する織布を提供することにある。
【課題を解決するための手段】
【０００４】
上述の課題を解決するために、本考案は、芯鞘複合糸からなる織布と、一般の糸からなる織布とによって構成される熱可塑性を有する織布であって、芯鞘複合糸からなる織布は、熱可塑性を有する織布の底層を構成し、一般の糸からなる織布は、熱可塑性を有する織布の表層を構成していることを特徴とする熱可塑性を有する織布を提供する。
【考案の効果】
【０００５】
１  本考案の織布はプラスチックや金属のような熱可塑性を有する。
２  家庭用電化製品、通信用機器、消費者向け電子製品、コンピュータ周辺機器などに織布が持つ多彩な変化性および好適な触感と質感を与え、環境保護的にも優れる。
３  本考案は鋼鉄のように強固であるが、重量は鋼鉄よりもずっと軽い。
【考案を実施するための最良の形態】
【０００６】
本考案の目的、特徴および効果を示す実施例を図に沿って詳細に説明する。
【０００７】
図１は本考案の芯鞘複合糸を示す模式図である。図に示すように、芯鞘複合糸は無限の長さの芯１１および芯１１に巻設された鞘１０から構成される。芯１１は例えばガラス繊維、炭素繊維、高強力ポリエステル繊維などの補強用の繊維であり、鞘１０は例えば低融点ポリエステル繊維などの低融点のポリエステル繊維を材料とする。
【０００８】
図２は本考案の織布の構成を示す模式図である。図に示すように、前述の本考案の芯鞘複合糸からなる織布と、ポリエステル繊維などの一般の糸からなる織布とから構成され、芯鞘複合糸からなる織布は底層１３を構成し、一般の糸からなる織布は表層１２を構成する。
【０００９】
前述の異なる糸から構成された底層１３および表層１２を有する織布を高温プレス機にかけ、低融点ポリエステル繊維の軟化点の温度に調整したとき、底層１３の低融点ポリエステル繊維は融解するが、表層１２は本来の織布の質感を保持する。つまり、適当な金型によってプレスされた後、織布（本考案）の表層１２は織布の質感を保持しているが、底層１３は補強用のポリエステル繊維と低融点ポリエステル繊維はプラスチックのような硬質構造となる。
【００１０】
図３は本考案のもう一つの実施例を示す模式図である。図に示すように、本考案は重ね合わせ構造とすることができ、主に三層の織布が重ねられて構成される。表層１４は一般の織布であり、中層１５はガラス繊維、炭素繊維、高強力ポリエステル繊維などの補強用の繊維からなる織布であり、底層１６は低融点ポリエステル繊維からなる織布である。
【００１１】
前述の重ねあわせ構造の織布を高温プレス機にかけ、低融点ポリエステル繊維の軟化点の温度に調整したとき、底層１６の低融点ポリエステル繊維は融解するが、表層１４は本来の織布の質感を保持する。つまり、適当な金型によってプレスされた後、織布（本考案）の表層１４は織布の質感を保持しているが、底層１６は補強用のポリエステル繊維と低融点ポリエステル繊維はプラスチックのような硬質構造となる。
【００１２】
図４、５、６は本考案の応用例を示すものであり、図に示すように本考案の熱可塑性を有する織布はゲーム機２０、モニター３０（テレビ）または電気炊飯器５０などの家庭用電化製品、通信用機器、消費者向け電子製品、コンピュータ周辺機器などのケーシングに幅広く使用でき、見た目の美しさや質感を高めることができる。
【図面の簡単な説明】
【００１３】
【図１】本考案に使用される芯鞘複合糸を示す模式図である。
【図２】本考案の織布の構成を示す模式図である。
【図３】本考案のもう一つの実施例を示す模式図である。
【図４】本考案をゲーム機に応用した状態を示す斜視図である。
【図５】本考案をモニターに応用した状態を示す斜視図である。
【図６】本考案を電気炊飯器に応用した状態を示す斜視図である。
【符号の説明】
【００１４】
１０  鞘
１１  芯
１２、１４  表層
１３、１６  底層
１５  中層
２０  ゲーム機
３０  モニター
５０  電気炊飯器
【図１】
0003118297.tif 000003
【図２】
0003118297.tif 000004
【図３】
0003118297.tif 000005
【図４】
0003118297.tif 000006
【図５】
0003118297.tif 000007
【図６】
0003118297.tif 000008
(57)【要約】      （修正有）【課題】花筒に汚れ水を溜めないで、花筒が不必要な時、収納できる。【解決手段】花立ての蓋受け部Ｃのくぼみがバームクーヘン状の花立ての蓋Ｂを受け止め、更にそのバームクーヘン状の花立ての蓋Ｂの上面部が花筒Ａを受け止めている。花筒収納時には花筒Ａとバームクーヘン状の花立ての蓋Ｂを取り除いた後の花立の穴Ｄに、花筒Ａを逆さにして入れ、その上にバームクーヘン状の花立ての蓋Ｂを、花立ての蓋受け部Ｃのくぼみに置いて蓋とした。さらに花立てＤの側面部に穴を開け、水抜き孔Ｅとした。【選択図】図２
0003118300.tif 000002
【実用新案登録請求の範囲】
【請求項１】
花筒の円周上端部に接する部分をバームクーヘン型に切り取り、それを花筒収納時に蓋とした。
【請求項２】
花筒を逆さにして、花立ての中に収納する。
【考案の詳細な説明】
【技術分野】
【０００１】    本考案は、墓の花立てに関する。
【背景技術】
【０００２】    従来の花立てでは、花筒が常に上を向いていて花筒が収納不可能であった。
【考案の開示】
【考案が解決しようとする課題】
【０００３】    しかし、これでは使用していない時に雨が降ると花筒に雨水が溜まり、放置しておくと不衛生である。
【課題を解決するための手段】
【０００４】    そこで、花筒を使用しない時、花筒に水を溜めないようにするため、花筒を逆さにし、収納し、蓋をする事を考案した。まず花立ての中の花筒を取り出し、次に花筒の周囲に接するバームクーヘン状の蓋を取り出し、花筒と蓋を取り出したあとの穴に花筒を逆さにしたまま差込み収納する。この上にバームクーヘン状のものを乗せ蓋とした。花筒を使用しない時には汚れ水が溜まり不衛生であるという課題を解決した。さらに、蓋の隙間から入った水は水抜き孔から排出する。
【考案の効果】
【０００５】    よって本考案の花筒収納式蓋付き花立て具により、花筒を使用しない時には花筒が収納でき、収納時には逆さの状態であるため水も溜まらず衛生面を保つことができる。収納完成時には上から蓋、花筒と収納でき、蓋の置き場にも困ることもなく、また紛失することもない。さらに景観を損なうこともない。
日々、忙しい現代、又核家族の上、少子化であるため、お墓にお参りする回数や、人数が少なかったり、お墓が遠方であり、お墓参りが思うように出来ないという背景を背負った現代社会のニーズに合った花立て具である。
上記のような現状を把握した上で、安心してお墓をお守りできる花立具である。
【考案を実施するための最良の形態】
【０００６】    花筒使用時には図１のように、花立ての蓋受け部Ｃのくぼみがバームクーヘン状の花立ての蓋Ｂを受け止め、更にそのバームクーヘン状の花立ての蓋Ｂの上面部が花筒Ａを受け止めている。
花筒収納時には図６のように花筒Ａとバームクーヘン状の花立ての蓋Ｂを取り除いた後の花立の穴Ｄに、花筒Ａを逆さにして入れ、その上にバームクーヘン状の花立ての蓋Ｂを、花立ての蓋受け部Ｃのくぼみに置いて蓋とした。
さらに花立てＤの側面部に穴を開け、水抜き孔Ｅとした。
本物品は花筒の大きさや、形に応じて大きさを決めるとよい。
【図面の簡単な説明】
【０００７】
【図１】  本考案に係る花筒収納式蓋付き花立て具の花筒使用時の立体図である。
【図２】  本考案に係る花筒収納式蓋付き花立て具の花筒と花立ての蓋を持ち上げた時の立体図である。
【図３】  本考案に係る花筒収納式蓋付き花立て具の花筒を取り除き花筒の蓋を持ち上げた時の立体図である。
【図４】  本考案に係る花筒収納式蓋付き花立て具の花筒と花立ての蓋の両方を取り除いた時の立体図である。
【図５】  本考案に係る花筒収納式蓋付き花立て具の花立ての蓋を取り除き花筒を逆さにして収納した時の立体図である。
【図６】  本考案に係る花筒収納式蓋付き花立て具の花筒収納時の立体図である。
【０００８】  Ａ  花筒
Ｂ  バームクーヘン状の花立ての蓋
Ｃ  蓋受け部
Ｄ  花立て
Ｅ  水抜き孔
【図１】
0003118300.tif 000003
【図２】
0003118300.tif 000004
【図３】
0003118300.tif 000005
【図４】
0003118300.tif 000006
【図５】
0003118300.tif 000007
【図６】
0003118300.tif 000008
【手続補正書】
【提出日】平成17年7月9日(2005.7.9)
【手続補正１】
【補正対象書類名】実用新案登録請求の範囲
【補正対象項目名】全文
【補正方法】変更
【補正の内容】
【実用新案登録請求の範囲】
【請求項１】
花立てにお花を飾って花筒を使用している状態の時、花筒部分の外側円周上端部と接している花立て本体の部分をバームクーヘン型（環状体）に切り取る。そして花を飾らない時には花筒が不必要になり、この不必要になった花筒を収納するためにこのバームクーヘン型（環状体）を花筒の蓋とした花筒収納式花立て具である。
【請求項２】
花筒が不必要な時は、請求項１記載の蓋を取り外し、花筒を逆さにして花立て本体の中に収納する請求項１記載の蓋を用いた花筒収納式蓋付き花立て具である。
【手続補正書】
【提出日】平成17年9月28日(2005.9.28)
【手続補正１】
【補正対象書類名】実用新案登録請求の範囲
【補正対象項目名】全文
【補正方法】変更
【補正の内容】
【実用新案登録請求の範囲】
【請求項１】
花筒使用時の花筒上端外側円周部と接する花立て部分に環状体の蓋を供える花立て具。
【請求項２】
花筒を花立ての中に逆さに収納し、蓋をかぶせた請求項１の花立て具。
(57)【要約】【課題】多数本の貫通径穴付き細管を、心穴付きのピン形スペーサを挟んで組付けワイヤにより組付ける懸垂式すだれとして、懸垂中に、細管とスペーサの間のすだれの表裏の横方向における摺動、偏位によって、表裏の横方向に屈曲しないものを提供する。【解決手段】細管１１の貫通径穴１２に、つば付きピン形のスペーサ１３の端部の軸部１５を嵌合し、貫通径穴１２の外周部に、スペーサ１３のつば状の胴部１６の肩部１７を接触させ、この状態で組付けワイヤ１８を、順次細管１１の貫通径穴１２の延長部の管内部とスペーサ１３の心穴１４に通して、細管１１とスペーサ１３を組付ける。【選択図】図１
0003118257.tif 000002
【実用新案登録請求の範囲】
【請求項１】
多数の貫通径穴付き細管を、両端部に細管の貫通径穴に嵌合する軸部を有するとともに軸部より大径でかつ細管の貫通径穴の外周部に当接する肩部付きの胴部を有する心穴付きピン形スペーサを挟んで、細管の貫通径穴延長部の管内部と軸部が細管の貫通径穴に嵌合するスペーサの心穴を通してのびる組付けワイヤによって組付けてなる懸垂式すだれ。
【請求項２】
スペーサの軸部の長さを、細管の貫通径穴の長さ以上にしてなる、請求項１記載の懸垂式すだれ。
【考案の詳細な説明】
【技術分野】
【０００１】
この考案は、日よけ、目隠しなどのために窓類の前方部に吊るす懸垂式のすだれの改良に関する。
【背景技術】
【０００２】
この種の懸垂式のすだれとしては、金属やプラスチックなどで形成した多数本の貫通径穴付き細管を、両端部が細管の貫通径穴の外周部に当接する心穴付きピン（中空ピン）形スペーサを挟んで、細管の貫通径穴とこれに隣接する管内部及びスペーサの心穴を通してのびる組付けワイヤを介して組付けるものが知られている（例えば、特許文献１、２参照）。
【０００３】
この公知の懸垂式のすだれは、上記のように、細管の外周部とスペーサの端面が当接する組付け形態であるため、懸垂中に、特に上部の重量（荷重）の下部への負荷や風などの横方向の力によって、両者が組付けワイヤに直交するすだれの表裏の横方向に相対的に摺動（スライド）して偏位しやすく、この結果すだれの下部などの一部がすだれの表裏の横方向に屈曲した懸垂状態になるという不都合がある。
【特許文献１】特開２００４−３０５６４６号公報
【特許文献２】登録実用新案第３０２２７６７号公報
【考案の開示】
【考案が解決しようとする課題】
【０００４】
この考案は、公知のものに認められる上記のような不都合に鑑み、懸垂中に、細管とスペーサの間にすだれの表裏の横方向の偏位が生じず、従って常に真直ぐな状態で懸垂可能な懸垂式のすだれを提供することを課題としている。
【課題を解決するための手段】
【０００５】
この考案によれば、上記の課題を解決するために、実用新案登録請求の範囲の請求項１に記載のように、多数本の貫通径穴付き細管を、両端部に細管の貫通径穴に嵌合する軸部（端軸部）を有するとともに軸部より大径でかつ細管の貫通径穴の外周部に当接する肩（ショルダ）部付きの胴部を有する心穴付きピン形スペーサを挟んで、細管の貫通径穴延長部の管内部と軸部が細管の貫通径穴に嵌合するスペーサの心穴を通してのびる組付けワイヤによって組付けてなる懸垂式すだれを提供する。
【０００６】
またこの考案によれば、請求項２に記載のごとく、上記の請求項１の懸垂式すだれにおいて、スペーサの軸部の長さを、細管の貫通径穴の長さ以上にする構成を提供する。
【考案の効果】
【０００７】
この考案の請求項１に記載の懸垂式すだれによれば、細管の貫通径穴にスペーサの端部の軸部が嵌合するので、細管とスペーサの間に相対的な横方向の偏位が生じることはない。従って常に真直ぐに懸垂することができる。
【０００８】
また請求項２に記載のスペーサの軸部の長さ構成によれば、組付けワイヤによる組付けに多少の緩みが生じても、軸部と細管の貫通径穴との嵌合状態が保持されるため、真直ぐな懸垂状態が保持される。
【考案を実施するための最良の形態】
【０００９】
図面は、この考案に係る懸垂式すだれの好適な実施形態の要部を示したもので、金属等製の細管１１に形成した貫通径穴１２には、金属等製のつば付きピン形のスペーサ１３の端部に設けた貫通径穴１２より長い軸部１５が、細管内部に突出する状態で嵌合しているとともに、貫通径穴１２の外周部には、スペーサ１３のつば状の胴部１６の肩部１７が線状接触している。また組付けワイヤ１８は、細管１１の貫通径穴１２延長部の管内部とスペーサ１３の心穴１４を通してのびて、細管１１とスペーサ１３を組付けている。
【００１０】
この形態における細管１１とスペーサ１３は、前者の貫通径穴１２と後者の貫通径穴１２よりも長い軸部１５の嵌合上、組付けワイヤによる組付けに多少の緩みがあっても、両者の間に相対的な横方向の偏位が生じることはなく、常に真直ぐな懸垂状態が確保される。
【００１１】
この考案に係る懸垂式すだれは、このほか、スパーサを胴部の長さが軸部に比して長い胴長のピン形とするなど、種々の形態で実施することができるもので、上記の形態に限定されるものではない。
【図面の簡単な説明】
【００１２】
【図１】この考案に係る懸垂式すだれの好適な実施形態の部分正断面図である。
【図２】図１に示す実施形態の部分側断面図である。
【符号の説明】
【００１３】
１１  細管
１２  貫通径穴
１３  スペーサ
１４  心穴
１５  軸部
１６  胴部
１７  肩部
１８  組付けワイヤ
【図１】
0003118257.tif 000003
【図２】
0003118257.tif 000004
(57)【要約】【課題】他人の耳を掃除するにあたり、明るい状態で耳掃除を行ない、鼓膜を破ったり耳内部を傷つけることがないようにすると共に、採取した耳垢などを付着させて散逸のないようにし、かつ耳かき部材を使い捨てとして衛生効果を高める。【解決手段】内部に乾電池4を収納する収納部を有し、側壁に乾電池収納用開閉蓋5と照明用スイッチ７を設けた耳かき把手部材１の内部に導線３を介し前記乾電池４に通電して発光可能な照明ランプ６を設けると共に、把手部材１の先端に透明な耳かき部材２を前記照明ランプ６の点灯により発光し得る如く装着する一方、、耳かき部材２の先端に粘着部８を形成し、かつ該耳かき部材を把手部材に対して取り替え可能で使い捨てとした。【選択図】    図２
0003118261.tif 000002
【実用新案登録請求の範囲】
【請求項１】
内部に乾電池収納部を有し、側壁に乾電池収納用開閉蓋と、照明用スイッチを設けた耳かき把手部材の内部に導線を介し前記乾電池に通電して発光可能な照明ランプを設けると共に、把手部材の先端に透明な耳かき部材を前記照明ランプの点灯により発光し得る如く装着してなり、前記耳かき部材は先端に粘着部が形成され、かつ、把手部材に対して取り替えが可能であることを特徴とする光る耳かき。
【考案の詳細な説明】
【技術分野】
【０００１】
本考案は把手部材内に乾電池を収納し、照明ランプの点灯により耳かき部材を発光させて耳内を照らし、耳掃除を容易ならしめると共に耳かき部材を先端部に粘着部を形成して使い捨てとした光る耳かきに関するものである。
【背景技術】
【０００２】
従来よりライトの付いた耳かきや、光ファイバーなどを利用して外部の光を集め耳内を照らしながら耳掃除する耳かきは知られている。ところがこれらの耳かきは、前者では折角のライトも耳かきを耳内に挿入するとき、耳かきをもつ指の影ができ、そのため見づらくなって耳内を傷つけて了うことがあり、また後者では外部の光を集光するにしても全般的に照度が乏しく、耳内を充分に照らすまでには至らない難があった。そこで、これらの改良として照明ランプの点灯により発光した光を照明ケース内壁面の反射鏡で反射し、その反射した光と照明ランプからの直射光とを把手部先端に設けた掃除部材に無駄なく取り入れ耳内を明るく照らすようにした発光機能付き耳かきが提案されている。（例えば特許文献１参照）
【特許文献１】特開２００３−４６９号公報
【考案の開示】
【考案が解決しようとする課題】
【０００３】
しかし、上記の発光機付き耳かきは全体的に機構が複雑であると共に、掃除した耳垢などがそのまま耳内に散逸し、充分耳の外に取り出し得ないという問題があった。
【０００４】
本考案は上述の如き実状に対処し、特に耳かき部材先端に粘着性を付与し、かつ該耳かき部材の取り替えを自在にすることを見出すことにより発光機能付き耳かきの構造の簡易化を図り、耳垢などの確実な取り出しを可能ならしめると共に、併せて使い捨てとして衛生効果を高めることを目的とするものである。
【課題を解決するための手段】
【０００５】
即ち、上記目的を達成する本考案耳かきは光る耳かきであり、内部に乾電池収納部を有し、側壁に乾電池収納用開閉蓋と、照明用スイッチを設けた耳かき把手部材の内部に導線を介し前記乾電池に通電して発光可能に照明ランプを設け、かつ、該把手部材の先端に透明な耳かき部材を前記照明ランプの点灯により発光し得る如く装着すると共に、前記耳かき部材の先端に粘着部を形成し、該耳かき部材を把手部材に対して取り替え可能で、使い捨てとした構成よりなる。
【考案の効果】
【０００６】
本考案耳かきは使用時、照明スイッチを入れると、耳かき部材が発光し、掃除しようとする他人の耳部内部を明るく照らし、耳内をよく見ながら耳掃除をすることができるので、鼓膜を破ったり耳内を傷付けることなく安全に他人の耳を掃除することができる。
【０００７】
しかも、耳かき部材は、その先端に粘着部が形成されているため耳垢などを散逸することなく粘着部に付着させて取り出し得るのでより確実に耳の掃除が達成でき、更に耳かき部材は適宜、取り替えができるので使い捨て可能であり、頗る衛生的である効用を有している。
【考案を実施するための最良の形態】
【０００８】
以下、更に添付図面を参照し、本考案の具体的な実施態様を説明する。
【０００９】
図１，図２は本考案に係る耳かきの外観図及び断面図であり、図において、１は耳かき把手部材、２は耳かき部材であり、把手部材１は図２に示す如く内部に乾電池収納部を有して内部に乾電池４を収納し得るようになっていると共に、その周側壁には上記乾電池を収納するための開閉蓋５が設けられている。そして、上記乾電池４を収納する収納部の前部には乾電池４に通電して発光可能な照明ランプ６が配設されており、把手部材１の側壁に該乾電池に通電して照明ランプ６を点灯しせしめるための導線３と照明スイッチ７が設けられていて、照明スイッチ７の摺動により導線３を介して通電され、照明ランプ６が点灯し発光するようになっている。
【００１０】
一方、上記把手部材１の先端には透明な合成樹脂材料などからなる棒状の耳かき部材２がその後方端を前記把手部材１内で照明ランプ６の発光する光を集めて把手部材１より前方に突出する前端側に通光し、先端部を発光せしめるように装着されている。
【００１１】
この耳かき部材２は耳の掃除に適当な形状をもって作成され、前記把手部材１の先端において取り替えが可能であり、随時、使用後に、使用した耳かき部材２を使い捨て交換し得るようになっていると共に、耳かき部材先端には粘着剤を付与した粘着部８が形成されている。従って、耳かき部材２使用時には先ず照明スイッチ７を入れ、照明ランプ６を発光させて透明な耳かき部材２を通じて他人の耳の中に光を入れ明るい状態で耳の掃除を行なうことができると共に、耳内で得られた耳垢は耳かき部材２の先端の粘着部８に付着し、耳内で散逸させることなしに確実に耳の外に取り出すことができる。
【００１２】
なお、耳かき部材２は使い捨て交換が可能であるため、図３に示す如く複数の耳かき部材１を一体的に保持させて準備しておくことが好適である。
【図面の簡単な説明】
【００１３】
【図１】本考案に係る耳かきの1例を示す外観図である。
【図２】上記耳かきの断面図である。
【図３】予備の耳かき部材を示す図である。
【符号の説明】
【００１４】
１：把手部材
２：耳かき部材
３：導線
４：乾電池
５：乾電池収納用開閉蓋
６：照明ランプ
７：照明スイッチ
８：粘着部
【図１】
0003118261.tif 000003
【図２】
0003118261.tif 000004
【図３】
0003118261.tif 000005
(57)【要約】【課題】一本のはさみで使用の目的に応じ枝を剪定したりワイヤーを切断したりすることができる園芸ばさみを提供する。【解決手段】 園芸ばさみ(10)は２組の刃部の組み合わせからなる組み合わせ刃体(20)を有し、該組み合わせ刃体(20)は後部に柄(30)を具備し、前部に枝剪定用の第一刃部(21)を有し、側部にワイヤー切断用の第二刃部(22)を有する。【選択図】図１
0003118264.tif 000002
【実用新案登録請求の範囲】
【請求項１】
２組の刃部の組み合わせからなる組み合わせ刃体(20)を有し、
該組み合わせ刃体(20)は後部に柄(30)を具備し、前部に枝剪定用の第一刃部(21)を有し、側部にワイヤー切断用の第二刃部(22)を有し、
上記構造により一本のはさみで、使用の目的に応じ、枝を剪定したり、ワイヤーを切断したりすることができることを特徴とする園芸ばさみ。
【請求項２】
上記構造中、該第二刃部(22)は該組み合わせ刃体(20)縁辺に内切されることを特徴とする請求項１記載の園芸ばさみ。
【請求項３】
上記構造中、該第二刃部(22)は該組み合わせ刃体(20)縁辺より凸出して形成されることを特徴とする請求項１記載の園芸ばさみ。
【考案の詳細な説明】
【技術分野】
【０００１】
本考案は一種の園芸ばさみの構造の改良で、特に、組み合わせ刃体(20)が第一刃部(21)と第二刃部(22)とを有する構造により、一本のはさみで、使用の目的に応じ、枝を剪定したり、ワイヤーを切断したりすることができる園芸ばさみに関するものである。
【背景技術】
【０００２】
従来の園芸ばさみは刃の部分が長く、一回の剪定で広い面積を刈ることもでき、草を刈ったり、枝を切ったりすることができるが、園芸作業には、草花や樹木の手入れだけではなく、ワイヤーでの固定等の作業が含まれており、適当な長さにワイヤーを切る時、園芸ばさみを使用すると、園芸ばさみは刃の部分が薄く鋭利であり、ワイヤー専用ではない為、ワイヤーを切った時に、刃毀れしたり、切れ味が悪くなったりするという問題があり、又、ワイヤー切断専用工具を用意すれば、工具を使い分けて使用しなければならず、効率が悪くなるという問題がある。
【考案の開示】
【考案が解決しようとする課題】
【０００３】
本考案は、上記従来の問題点を解決することを課題とする。
【課題を解決するための手段】
【０００４】
主に一種の園芸ばさみの構造の改良で、
該園芸ばさみ(10)は２組の刃部の組み合わせからなる組み合わせ刃体(20)を有し、
該組み合わせ刃体(20)は後部に柄(30)を具備し、前部に枝剪定用の第一刃部(21)を有し、側部にワイヤー切断用の第二刃部(22)を有し、
上記構造により、一本のはさみで、使用の目的に応じ、枝を剪定したり、ワイヤーを切断したりすることができる。
【考案の効果】
【０００５】
園芸ばさみ(10)を使用し、枝を剪定する時、枝の位置或いは方向を考慮し、第一刃部(21)或いは第二刃部(22)を使いわけて剪定することができ、
又、該第二刃部(22)は組み合わせ刃体(20)枢軸中心位置に近く、刃が厚い為、施力が大きく、硬いものを切断するのに適している為、ワイヤー等を切断することができる。
【考案を実施するための最良の形態】
【０００６】
本考案の構造の特徴及びその効果を以下に実施例とそれに合わせた図式及び詳細な説明を列挙し、本考案の長所を詳述する。
【０００７】
図１、２が示す如く、本考案は一種の園芸ばさみの構造の改良で、
該園芸ばさみ(10)は２組の刃部の組み合わせからなる組み合わせ刃体(20)を有し、
該組み合わせ刃体(20)は後部に柄(30)を具備し、前部に枝剪定用の第一刃部(21)を有し、側部にワイヤー切断用の第二刃部(22)を有し、
上記構造により、一本のはさみで、使用の目的に応じ、枝を剪定したり、ワイヤーを切断したりすることができる。
【０００８】
図３、４が示す如く、柄(30)を持ち、開いたり、閉じたりすることにより、組み合わせ刃体(20)を開いたり、閉じたりすることができ、
該第一刃部(21)と該第二刃部(22)とは連動しており、使用の目的に応じ、使いわけることができる。
【０００９】
図５、６が示す如く、園芸ばさみ(10)を使用し、枝を剪定する時、枝の位置或いは方向を考慮し、第一刃部(21)或いは第二刃部(22)を使いわけて剪定することができ、
又、該第二刃部(22)は組み合わせ刃体(20)枢軸中心位置に近く、刃が厚い為、施力が大きく、硬いものを切断するのに適している為、ワイヤー等を切断することができる。
【図面の簡単な説明】
【００１０】
【図１】本考案の組み合わせ立体図である。
【図２】本考案の分解立体図である。
【図３】本考案の園芸ばさみの閉じた状態を示す図である。
【図４】本考案の園芸ばさみの開いた状態を示す図である。
【図５】本考案の第一刃部(21)の使用状態を示す図である。
【図６】本考案の第二刃部(22)の使用状態を示す図である。
【符号の説明】
【００１１】
10       園芸ばさみ
20       組み合わせ刃体
21       第一刃部
22       第二刃部
30       柄
【図１】
0003118264.tif 000003
【図２】
0003118264.tif 000004
【図３】
0003118264.tif 000005
【図４】
0003118264.tif 000006
【図５】
0003118264.tif 000007
【図６】
0003118264.tif 000008